(57)【特許請求の範囲】
【請求項１】
ペンの動きを検出する入力面と、カーソルを表示する表示画面と、該ペンの入力面に対する位置関係を検出する検出手段と、検出した位置関係に応じて前記表示画面でのカーソルの表示位置を決定する決定手段とを備える情報処理装置において、
ペンの前記入力面に対する近接を検知する手段と、
ペンの前記入力面に対する近接を検知したとき、前記表示画面の所定の位置に、線書きデータの入力を受付ける入力領域及び領域の動きを指定する指定領域を有する部分領域を配置する手段と、
前記部分領域を配置した後に検出したカーソルの位置が前記入力領域内であり、かつペンが非接触状態である場合、カーソルの移動と判定し、前記部分領域を配置した後に検出したカーソルの位置が入力領域内であり、かつペンが接触状態である場合、線書きデータの入力を受付ける入力モードと判定し、前記部分領域を配置した後に検出したカーソルの位置が前記指定領域内である場合、前記部分領域を移動させる操作と判定する判定手段と、
該判定手段にて前記部分領域を移動させる操作と判定した場合、前記決定手段において決定したカーソルの表示位置に応じて前記部分領域の配置を変更する制御手段と
を備えることを特徴とする情報処理装置。
【請求項２】
前記決定手段において決定したカーソルの表示位置に基づいて該カーソルが移動した方向を算出する手段と、
算出した方向に応じて前記部分領域を移動すべき方向を決定する移動方向決定手段と
を更に備え、
前記制御手段は、決定した移動すべき方向に応じて前記部分領域を配置するようにしてあることを特徴とする請求項１に記載の情報処理装置。
【請求項３】
前記決定手段において決定したカーソルの表示位置に基づいて該カーソルが移動すべき量を決定する第一の移動量決定手段と、
ペンの前記入力面への接地回数を計数し、当該計数した接地回数に応じて前記部分領域を移動すべき量を決定する第二の移動量決定手段と、
ペンの前記入力面への接地圧力を検出し、当該検出した接地圧力に応じて前記部分領域を移動すべき量を決定する第三の移動量決定手段と
の少なくとも一を更に備え、
前記制御手段は、決定した移動すべき量に応じて前記部分領域を配置するようにしてあることを特徴とする請求項１又は２に記載の情報処理装置。
【請求項４】
前記制御手段は、決定した移動すべき方向又は量に応じて前記部分領域を配置する大きさを拡大又は縮小するようにしてあることを特徴とする請求項３に記載の情報処理装置。
【請求項５】
ペンの動きを検出する入力画面と、カーソルを表示する表示画面と、該ペンの入力面に対する位置関係を検出する検出手段と、検出した位置関係に応じて前記表示画面でのカーソルの表示位置を決定する決定手段とを備える情報処理装置において、
ペンの前記入力面に対する近接を検知する手段と、
ペンの前記入力面に対する近接を検知したとき、前記表示画面の所定の位置に部分領域を配置する手段と、
前記決定手段において決定したカーソルの表示位置に応じて前記部分領域の配置を変更する制御手段と、
ペンの前記入力面への接地回数を計数し、当該計数した接地回数に応じて前記部分領域を移動すべき量を決定する移動量決定手段と
を備えることを特徴とする情報処理装置。
【請求項６】
ペンの動きを検出する入力画面と、カーソルを表示する表示画面と、該ペンの入力面に対する位置関係を検出する検出手段と、検出した位置関係に応じて前記表示画面でのカーソルの表示位置を決定する決定手段とを備える情報処理装置において、
ペンの前記入力面に対する近接を検知する手段と、
ペンの前記入力面に対する近接を検知したとき、前記表示画面の所定の位置に部分領域を配置する手段と、
前記決定手段において決定したカーソルの表示位置に応じて前記部分領域の配置を変更する制御手段と、
ペンの前記入力面への接地圧力を検出し、当該検出した接地圧力に応じて前記部分領域を移動すべき量を決定する移動量決定手段と
を備えることを特徴とする情報処理装置。
【請求項７】
コンピュータに、ペンの動きを検出できる入力面と該ペンとの位置関係に応じて表示画面でのカーソルの表示位置を決定させるコンピュータプログラムにおいて、
コンピュータに、ペンの前記入力面に対する近接を検知させるステップと、
コンピュータに、ペンの戦記入力面に対する近接を検知したとき、前記表示位置の所定の位置に、線書きデータの入力を受付ける入力領域及び領域の動きを指定する指定領域を有する部分領域を配置させるステップと、
コンピュータに、前記部分領域を配置した後に検出したカーソルの位置が前記入力領域内であり、かつペンが非接触状態である場合、カーソルの移動と判定させ、前記部分領域を配置した後に検出したカーソルの位置が入力領域内であり、かつペンが接触状態である場合、線書きデータの入力を受付ける入力モードと判定させ、前記部分領域を配置した後に検出したカーソルの位置が前記指定領域内である場合、前記部分領域を移動させる操作と判定させる判定ステップと、
コンピュータに、前記判定ステップにて前記部分領域を移動させる操作と判定した場合、決定したカーソルの表示位置に応じて前記部分領域の配置を変更させるステップと
を実行させることを特徴とするコンピュータプログラム。
【発明の詳細な説明】
【技術分野】
【０００１】
本発明は手書き入力を容易にすることができる情報処理装置及びコンピュータに手書き入力認識を実行させるコンピュータプログラムに関する。
【背景技術】
【０００２】
従来、コンピュータの入力デバイスとして、マウス又はトラックボールのみならず手書き入力のデジタイザが用いられている。手書き入力のデジタイザには、表面をなぞった指の軌跡を画面上のカーソルの動作に関連づける指入力方式と、表面をなぞったペンの軌跡を画面上のカーソルの動作に関連づけるペン入力方式とがある。手書き入力のデジタイザは、指又はペンなどを用いて直感的に操作することができ、操作のなれが必要なマウスなどよりも繊細且つ迅速にカーソルを操作することができるので、画面上で文字又は図形のデータを入力するデバイスとして最適とされている。
【０００３】
ここで、ペン入力方式による手書き入力のデジタイザについて説明する。図１３は従来のペン入力を説明するための概略図である。デジタイザは、入力用のペン９１と、ペン９１の軌跡を検出するタブレット９とで構成されている。タブレット９は、表面に細長いセンサコイル９２が複数並べられている。各センサコイル９２は、スイッチ９４に接続されている。スイッチ９４は、センサコイル９２と電流ドライバ９３又は受信アンプ９５との接続をオンオフにする。また、ペン９１は、先端に巻線コイル９１１及びコンデンサ９１２を備え、当該巻線コイル９１１及びコンデンサ９１２によりＬＣ共振回路が形成されている。センサコイル９２とＬＣ共振回路とが以下のように作用したとき、タブレット９上でのペン９１の座標が検出される。
【０００４】
電流ドライバ９３には電流が常時流れている。スイッチ９４が電流ドライバ９３とセンサコイル９２とを接続したとき、センサコイル９２には電流が流れ、その表面に磁界ＭＦが発生する。ペン９１がタブレット９に近接したとき、磁界ＭＦに反応した巻線コイル９１１に誘導電流が流れる。誘導電流が流れたとき、コンデンサ９１２は蓄電状態になる。
スイッチ９４が電流ドライバ９３とセンサコイル９２との接続を切断したとき、センサコイル９２の電流の流れが停止する。電流の流れが停止したとき、巻線オイル９１１には、コンデンサ９１２に蓄電してある電気を源にした電流が流れ、磁界ＭＦが発生する。ペン９１に近接するセンサコイル９２は、発生した電界ＭＦに影響されて誘導電流が流れる。
スイッチ９４が電流ドライバ９３と受信アンプとを接続したとき、受信アンプ９５にはセンサコイル９２の誘導電流が流れ、受信アンプ９５は、誘導電流を検出信号に変換して検出器（図示せず）に出力する。その結果、タブレット９は、検出信号を出力したセンサコイル９２の配置場所が近接するペン９１の位置であるとして検出する。
【０００５】
また、指入力方式による手書き入力のデジタイザについて説明する。当該デジタイザは、指の軌跡を検出するタブレットで構成されている。タブレットには、表面にセンサが複数並べられている。各センサは、指に帯びる微弱な静電容量の変化を検出して指が自身の上位置にあることを検出する。その結果、タブレット上にある指の位置が検出される。
【０００６】
ところで、従来の手書き入力のデジタイザにおいては、タブレットの解像度が表示画面を表示する液晶モニタなどの解像度に比して低解像度である場合、タブレット上での操作の移動量が表示画面上のカーソルの移動量より大きくなり、表示画面上のカーソルを直感的に操作できなくなるという問題を有していた。尚、ここでいう移動量とは、移動の距離を指す。
【０００７】
図１４は従来の手書き入力を説明するための概略図である。図中のとおり、例えば、表示画面９６内でカーソルを移動して文字、記号及び図形などの線書きデータを入力する場合、例えば、狭領域に繊細な線書きデータを入力するようなときはタブレット９上で非常に繊細なペン操作を行う必要があり、操作を行う利用者にストレスを与えてしまうという問題を有していた（図１４（ａ）参照）。
【０００８】
そこで、表示画面９６内にタブレット９の解像度に対してドットバイドットで表示できる部分領域ＬＳを設けて部分領域ＬＳ内で線書きデータの入力を行う装置が提案された（図１４（ｂ）参照）。当該装置によれば、タブレット９上での操作の移動量と部分領域ＬＳ上のカーソルの移動量とが一致するので、表示画面９６内で繊細な文字を直感的に入力することが可能になった。
【０００９】
しかし、当該装置は、部分領域ＬＳが表示画面９６の視認性を下げるという問題と、部分領域ＬＳを超えた広範囲に線書きデータを連続入力しようとする場合、入力に応じて部分領域を順次移動していく必要があるという問題を有していた。（図１４（ｂ）参照）。
【００１０】
そこで、従来、部分領域の移動を操作し易くするための操作ユニットをタブレットとは別体で設けることにより、部分領域へのデータ入力を行いつつ、部分領域の移動を迅速に行うことができる手書き入力認識の装置が提案された（例えば、特許文献１）。
【特許文献１】特開２００３−１２２４９２号公報
【発明の開示】
【発明が解決しようとする課題】
【００１１】
しかしながら、特許文献１に記載された発明では、部分領域の移動を操作するための装置が別体で必要となり、別体の設置スペースが更に必要となるという問題を有している。また、例えば、特許文献１に記載された発明では、片手で手書き入力のデジタイザを操作すると共に、他方で部分領域の移動を操作する必要があるから、操作の慣れが必要になり、データ入力を直感的に入力できるという手書き入力の有意さが損なわれるという問題を有していた。
【００１２】
本発明はこのような事情に鑑みてなされたものであり、その目的とするところは、ペンの動きを検出できる入力面にペンを近接したときに表示画面の所定の位置に部分領域を配置し、入力面とペンとの位置関係に基づいて表示画面のカーソルの位置を決定し、決定したカーソルの位置に基づいて部分領域を配置することにより、表示画面の視認性を低下させることなく、利用者にストレスを与えることなく直感的な入力が可能な手書き入力認識を実行する情報処理装置及びコンピュータに前記手書き入力認識を実行させるためのコンピュータプログラムを提供することにある。
【課題を解決するための手段】
【００１３】
上記目的を解決するために本発明に係る情報処理装置は、ペンの動きを検出する入力面と、カーソルを表示する表示画面と、該ペンの入力面に対する位置関係を検出する検出手段と、検出した位置関係に応じて前記表示画面でのカーソルの表示位置を決定する決定手段とを備える情報処理装置において、ペンの前記入力面に対する近接を検知する手段と、ペンの前記入力面に対する近接を検知したとき、前記表示画面の所定の位置に、線書きデータの入力を受付ける入力領域及び領域の動きを指定する指定領域を有する部分領域を配置する手段と、前記部分領域を配置した後に検出したカーソルの位置が前記入力領域内であり、かつペンが非接触状態である場合、カーソルの移動と判定し、前記部分領域を配置した後に検出したカーソルの位置が入力領域内であり、かつペンが接触状態である場合、線書きデータの入力を受付ける入力モードと判定し、前記部分領域を配置した後に検出したカーソルの位置が前記指定領域内である場合、前記部分領域を移動させる操作と判定する判定手段と、該判定手段にて前記部分領域を移動させる操作と判定した場合、前記決定手段において決定したカーソルの表示位置に応じて前記部分領域の配置を変更する制御手段と
を備えることを特徴とする。
【００１４】
また、本発明に係る情報処理装置は、前記決定手段において決定したカーソルの表示位置に基づいて該カーソルが移動した方向を算出する手段と、算出した方向に応じて前記部分領域を移動すべき方向を決定する移動方向決定手段とを更に備え、前記制御手段は、決定した移動すべき方向に応じて前記部分領域を配置するようにしてあることを特徴とする。
【００１５】
また、本発明に係る情報処理装置は、前記決定手段において決定したカーソルの表示位置に基づいて該カーソルが移動すべき量を決定する第一の移動量決定手段と、ペンの前記入力面への接地回数を計数し、当該計数した接地回数に応じて前記部分領域を移動すべき量を決定する第二の移動量決定手段と、ペンの前記入力面への接地圧力を検出し、当該検出した接地圧力に応じて前記部分領域を移動すべき量を決定する第三の移動量決定手段との少なくとも一を更に備え、前記制御手段は、決定した移動すべき量に応じて前記部分領域を配置するようにしてあることを特徴とする。
【００１６】
また、本発明に係る情報処理装置は、前記制御手段は、決定した移動すべき方向又は量に応じて前記部分領域を配置する大きさを拡大又は縮小するようにしてあることを特徴とする。
【００１７】
更にまた、本発明に係るコンピュータプログラムは、コンピュータに、ペンの動きを検出できる入力面と該ペンとの位置関係に応じて表示画面でのカーソルの表示位置を決定させるコンピュータプログラムにおいて、コンピュータに、ペンの前記入力面に対する近接を検知させるステップと、コンピュータに、ペンの戦記入力面に対する近接を検知したとき、前記表示位置の所定の位置に、線書きデータの入力を受付ける入力領域及び領域の動きを指定する指定領域を有する部分領域を配置させるステップと、コンピュータに、前記部分領域を配置した後に検出したカーソルの位置が前記入力領域内であり、かつペンが非接触状態である場合、カーソルの移動と判定させ、前記部分領域を配置した後に検出したカーソルの位置が入力領域内であり、かつペンが接触状態である場合、線書きデータの入力を受付ける入力モードと判定させ、前記部分領域を配置した後に検出したカーソルの位置が前記指定領域内である場合、前記部分領域を移動させる操作と判定させる判定ステップと、コンピュータに、前記判定ステップにて前記部分領域を移動させる操作と判定した場合、決定したカーソルの表示位置に応じて前記部分領域の配置を変更させるステップとを実行させることを特徴とする。
【００１８】
本発明にあっては、ペンの動きを検出できる入力面にペンを近接したときに表示画面の所定の位置に部分領域を配置することにより、例えば、ペンによる手書き文字の入力をするなど部分領域が必要となる場合にのみ表示画面に部分領域を表示させることができ、表示画面の視認性を極力低下させることがないようにできる。また、入力面とペンとの位置関係に基づいて表示画面のカーソルの位置を決定し、決定したカーソルの位置に基づいて部分領域の配置を変更することにより、部分領域を操作するための特殊な装置を別体で設ける必要がないので設置スペースを節約でき、特殊な操作を強いられることがないので直感的なデータ入力が保持できる。
【発明の効果】
【００１９】
本発明にあっては、表示画面の視認性を極力低下させないようにできる。また、例えば、表示画面の部分領域の位置又は拡縮などを変更させる場合であっても、特殊な装置を別体で設けることないので設置スペースを節約でき、特殊な操作を強いられることがないので直感的にデータの入力を行うことができる。
【発明を実施するための最良の形態】
【００２０】
以下、本発明に係る手書き入力認識を実行する情報処理装置及びコンピュータに前記手書き入力認識を実行させるコンピュータプログラムについて、実施の形態を示す図面に基づいて説明する。図１は本発明に係る情報処理装置の構成を示すブロック図である。
【００２１】
図１中、１は本発明に係る情報処理装置である。情報処理装置１は、ペン入力インタフェース１１、指入力インタフェース１２、デジタイザ制御ユニット１３、外部記憶装置１４、出力インタフェース１５、補助記憶装置１６、ＲＡＭ１７及びＣＰＵ１８で構成されている。
【００２２】
ペン入力インタフェース１１は、デジタイザのタブレット２に接続してある。ペン入力インタフェース１１は、タブレット２から出力された検出信号を受け付けるための窓口となる。また、ペン入力インタフェース１１は、受け付けた検出信号に基づいてペン座標を算出する。
【００２３】
指入力インタフェース１２は、デジタイザのタブレット２に接続してある。指入力インタフェース１２は、タブレット２から出力された検出信号を受け付けるための窓口となる。また、指入力インタフェース１２は、受け付けた検出信号に基づいて指座標を算出する。
【００２４】
タブレット２は、表面を移動するペン２１又は指の動きを検出して検出信号をペン入力インタフェース１１又は指入力インタフェース１２へ出力する。検出信号は、ペン入力インタフェース１１又は指入力インタフェース１２で受け付けられ、後述する情報処理装置１を制御して表示画面内のカーソルの動きに指示を与える。尚、タブレット２がペン２１又は指の動きを検出する方法については、前述した従来のペン入力又は指入力と同様であるからここでの説明を省略する。
【００２５】
デジタイザ制御ユニット１３は、情報処理装置１及びタブレット２で構成されるデジタイザを制御するためのユニットであり、指位置検出部１３１、ペン近接検知部１３２、カーソル位置検出部１３３、部分領域位置検出部１３４、部分領域表示制御部１３５、指定領域内侵入判定部１３６、部分領域移動量方向決定部１３７、ペン位置検出部１３８及び入力座標算出部１３９で構成されている。各ハードウェアは、バス（図示せず）で相互に接続されている。尚、本実施の形態では、デジタイザ制御ユニット１３が専用の演算処理器の集まりとした一例で説明している。しかし、本発明は、これに限るものでなく、ＣＰＵ１８が各演算処理器の機能を全て担当するようにしてもよい。
【００２６】
指位置検出部１３１は、指入力インタフェース１２で算出された指座標を受け付け、受け付けた指座標に基づいてタブレット２での指位置を相対座標として検出する。指位置検出部１３１は、検出した相対座標をＲＡＭ１７へ出力する。相対座標は、ＲＡＭ１７で受け付けられた後、ＣＰＵ１８を介してカーソル位置検出部１３３へ出力される。
【００２７】
ペン位置検出部１３８は、ペン入力インタフェース１１で算出されたペン座標を受け付け、受け付けたペン座標に基づいてタブレット２でのペン位置を検出する。ペン位置検出部１３８は、検出したペン位置を入力座標算出部１３９へ出力する。
【００２８】
入力座標算出部１３９は、ペン位置検出部１３８から出力されたペン位置及び後述する部分領域位置検出部１３４から出力された部分領域の位置に基づいて線書きデータの入力座標を算出する。算出された入力座標は、部分領域に対する絶対座標としてＲＡＭ１７へ出力される。絶対座標は、ＲＡＭ１７へ出力された後、ＣＰＵ１８を介してカーソル位置検出部１３３へ出力される。
【００２９】
ペン近接検知部１３２は、タブレット２内のセンサコイルに誘導電流が流れているか否かを監視することによりペン２１のタブレット２への近接状態を検知する。ペン近接検知部１３２は、近接状態を検知したとき、検知信号をカーソル位置検出部１３３、部分領域表示制御部１３５又は指定領域内侵入判定部１３６へ出力する。
【００３０】
カーソル位置検出部１３３は、ペン近接検知部１３２から出力された検知信号を受け付けたときに以下の処理を実行する。
カーソル位置検出部１３３は、ＣＰＵ１８から受け付けた相対座標又は絶対座標に基づいて表示画面でのカーソル位置（ｘ，ｙ）を検出する。カーソル位置検出部１３３は、検出したカーソル位置（ｘ、ｙ）を部分領域位置検出部１３４へ出力する。
このように、本発明では、部分領域の解像度がタブレット２の解像度に対してドットバイドットで表示できるようにしてあるので、タブレット２で移動するペン２１の動きの量と表示画面で移動するカーソルの動きの量とを一致させることができ、表示画面内のカーソルを直感的に操作することができる。
【００３１】
部分領域位置検出部１３４は、カーソル位置検出部１３３から出力されたカーソル位置（ｘ，ｙ）を受け付けたときに以下の処理を実行する。
部分領域位置検出部１３４は、補助記憶装置１６内に記憶してあるｔ時（ｔ≧０）の部分領域位置の端点座標を読み出し、読み出した端点座標に基づいて部分領域の位置を検出する。
また、部分領域位置検出部１３４は、後述する部分領域移動量方向決定部１３７から出力された部分領域の移動量及び移動方向に基づいて、読み出したｔ＝０時の端点座標を更新し、更新した端点座標に基づいて移動後の部分領域の位置を検出する。尚、ここでいう部分領域の移動量とは、中央点から移動点までの部分領域を移動させる距離のことを指す。
また、更新した端点座標を補助記憶装置１６内に記憶する。
更にまた、部分領域位置検出部１３４は、検出した部分領域の位置を部分領域表示制御部１３５、指定領域内侵入判定部１３６及び入力座標算出部１３９へ出力する。
【００３２】
部分領域表示制御部１３５は、ペン近接検知部１３２から出力された検知信号を受け付けたときに以下の処理を実行する。
部分領域表示制御部１３５は、部分領域位置検出部１３４から出力された部分領域の位置を受け付けたとき、受け付けた部分領域の位置に基づいて表示画面内に部分領域を描画すべく、描画信号をＲＡＭ１７へ出力する。描画信号は、ＲＡＭ１７で受け付けられた後、ＣＰＵ１８を介して出力インタフェース１５へ出力される。尚、部分領域表示制御部１３５は、ペン近接検知部１３２から出力すべき検知信号を受け付けていないとき、描画信号を出力しない。
このように、本発明では、部分領域表示制御部１３５がペン近接の状態に応じて部分領域の表示をオンオフにするようにしてあるので、ペンを近接せずデータ入力を行わないときには部分領域を非表示にでき、表示画面の視認性の低下を回避することができる。
【００３３】
指定領域内侵入判定部１３６は、ペン近接検知部１３２から出力された検知信号を受け付けたとき、後述する領域内判定処理を実行し、侵入信号を部分領域移動量方向決定部１３７へ出力する。
【００３４】
部分領域移動量方向決定部１３７は、指定領域内侵入判定部１３６から出力された侵入信号を受け付けたとき、カーソル位置（ｘ0 、ｙ0 ）及びカーソル位置（ｘt 、ｙt ）の差分に基づいて差分を算出し、算出した差分に基づいて後述する部分領域操作処理を実行する。部分領域移動量方向決定部１３７は、決定した部分領域の移動量及び移動方向を部分領域位置検出部１３４へ出力する。
【００３５】
外部記憶装置１４は、（Digital Versatile Disc）又はＣＤ（Compact Disc）などの可搬式の記録媒体１４１に記憶してあるプログラム又はデータを読み出すためのユニットである。外部記憶装置１４は、挿入口（図示せず）に記録媒体１４１が挿入されたとき、挿入された記録媒体１４１に記憶してあるプログラムなどを読み出し、読み出したプログラムなどを補助記憶装置１６へ出力する。
【００３６】
出力インタフェース１５は、モニタ１５１に接続してあり、ＲＡＭ１７に記憶してあるプログラム又はデータに従ってモニタ１５１に表示画面を表示する。モニタ１５１は、ＣＲＴ、ＬＥＤ又は液晶表示式の画像を出力する装置である。
【００３７】
補助記憶装置１６は、例えば、磁気記憶方式のハードディスクなどが該当する。補助記憶装置１６には、記録媒体１４１から読み取ったプログラム、部分領域位置の端点座標、その他の各種データが記憶してある。
【００３８】
ＲＡＭ１７は、ＳＲＡＭ又はＤＲＡＭなどで構成されており、例えば、補助記憶装置１６から読み出されたプログラム、該プログラムを実行することにより生じる各種データ、指位置検出部１３１から出力された相対座標、部分領域表示制御部１３５から出力された描画信号及び入力座標算出部１３９から出力された絶対座標などを受け付けて記憶する。
【００３９】
ＣＰＵ１８は、情報処理装置１の各ハードウェアに手書き入力認識を実行させるべく制御する。尚、ＣＰＵ１８は、デジタイザ制御ユニット１３が備える各演算処理器の機能の全てを担当するようにしてもよい。
【００４０】
実施例１．
次にモニタ１５１に表示された表示画面及びその部分領域の表示について説明する。図２は実施例１に係る部分領域ＰＳ１の表示例を示す模式図である。図２中、Ｓはモニタ１５１に表示された表示画面である。表示画面Ｓは、タブレット２の解像度に対してドットバイドットで表示できる部分領域ＰＳ１を備える。部分領域ＰＳ１は、表示画面Ｓ内で上下左右斜め方向へ移動させることができる（図２ＰＳ２参照）。部分領域ＰＳ１は、入力領域Ｉと指定領域Ｇとで構成されている。
【００４１】
入力領域Ｉは、線書きデータを入力するための領域である。ＣＰＵ１８は、ペン２１で操作されたカーソルが入力領域Ｉ内に侵入したと判断した場合、線書きデータの入力モードで処理を実行する。尚、接地とは、ペン２１がタブレット２の触れる場合を指す。
【００４２】
指定領域Ｇは、部分領域ＰＳ１の動きを指定するための領域である。ＣＰＵ１８は、ペン２１で操作されたカーソルが指定領域Ｇ内に侵入したと判断した場合、部分領域の操作モードで処理を実行する。尚、近接とは、ペン２１及びタブレット２との距離が所定の距離であるときをいい、例えば、タブレット２のコイルセンサがペン２１から発生した電界に影響されて誘導電流を流すことができる距離を指す。
【００４３】
情報処理装置１のデジタイザ制御ユニット１３は、ペン２１がタブレット２への近接状態にあると判断したとき、カーソル位置（ｘ0 、ｙ0 ）を検出する。デジタイザ制御ユニット１３は、検出したカーソル位置（ｘ0 、ｙ0 ）を中心点とした所定の解像度を有する矩形の部分領域ＰＳ１を表示画面Ｓ内に描画する。デジタイザ制御ユニット１３は、再度検出したカーソル位置（ｘt 、ｙt ）が入力領域Ｉ内に侵入し、且つ、ペン２１がタブレット２に接地していない、所謂少し浮いた状態にあると判断したとき、カーソルを移動中として扱う。
【００４４】
また、デジタイザ制御ユニット１３は、再度検出したカーソル位置（ｘt 、ｙt ）が指定領域Ｇ内に侵入したと判断したとき、部分領域ＰＳ１を移動させるための処理を実行する。その結果、デジタイザ制御ユニット１３は、部分領域ＰＳ１を移動して部分領域ＰＳ２として再描画する（図２参照）。
【００４５】
また、デジタイザ制御ユニット１３は、再度検出したカーソル位置（ｘt 、ｙt ）が入力領域Ｉ内に侵入し、且つ、ペン２１がタブレット２に接地していると判断したとき、線書きデータの入力モードで処理を実行する。
【００４６】
次に情報処理装置１が実行する手書きの入力認識処理の手順を説明する。図３は入力認識処理の手順を示すフローチャートである。情報処理装置１のデジタイザ制御ユニット１３は、後述する領域内判定処理を実行し（Ｓ１０１）、領域内判定処理を実行することにより侵入信号を出力したか否かを判断する（Ｓ１０２）。その結果、デジタイザ制御ユニット１３は、侵入信号を出力していないと判断した場合（Ｓ１０２でＮＯ）、入力認識処理を完了する。
【００４７】
一方、デジタイザ制御ユニット１３は、侵入信号を出力したと判断した場合（Ｓ１０２でＹＥＳ）、ステップＳ１０１の領域内判定処理で検出したカーソル位置（ｘ0 、ｙ0 ）及び（ｘt 、ｙt ）の差分を算出する（Ｓ１０３）。デジタイザ制御ユニット１３は、算出した差分に基づいて部分領域操作処理を実行し（Ｓ１０４）、補助記憶装置１６内からｔ＝０時の部分領域ＰＳ１の端点座標を読み出す（Ｓ１０５）。
【００４８】
デジタイザ制御ユニット１３は、ステップＳ１０４で実行した部分領域操作処理の結果に基づいて部分領域ＰＳ１の端点座標を更新し（Ｓ１０６）、更新後の部分領域ＰＳ２を描画する（Ｓ１０７）。尚、実施例１において、更新後の部分領域ＰＳ２は、更新前の部分領域ＰＳ１と異なる位置へ移動させた部分領域として説明している。
【００４９】
次にステップＳ１０１で実行される領域内判定処理の手順について説明する。図４は領域内判定処理の手順を示すフローチャートである。デジタイザ制御ユニット１３は、ＲＡＭ１７に記憶してある時間ｔを０にし（Ｓ２０１）、初期化を行う。デジタイザ制御ユニット１３は、ペン２１がタブレット２に近接している近接状態であるか否かを判断し（Ｓ２０２）、ペン２１が近接状態にないと判断した場合（Ｓ２０２でＮＯ）、ステップＳ２０１に戻って領域内判定処理を繰り返す。
【００５０】
一方、デジタイザ制御ユニット１３は、ペン２１が近接状態にあると判断した場合（Ｓ２０２でＹＥＳ）、カーソル位置（ｘt 、ｙt ）を検出する（Ｓ２０３）。デジタイザ制御ユニット１３は、検出したカーソル位置（ｘt 、ｙt ）が部分領域ＰＳ１内に侵入したか否かを判断し（Ｓ２０４）、カーソル位置（ｘt 、ｙt ）が部分領域ＰＳ１内に侵入していないと判断した場合（Ｓ２０４でＮＯ）、ステップＳ２０１に戻って領域内判定処理を繰り返す。
【００５１】
一方、デジタイザ制御ユニット１３は、カーソル位置（ｘt 、ｙt ）が部分領域ＰＳ１内に侵入したと判断した場合（Ｓ２０４でＹＥＳ）、更にカーソル位置（ｘt 、ｙt ）が指定領域Ｇ内に侵入したか否かを判断する（Ｓ２０５）。その結果、デジタイザ制御ユニット１３は、カーソル位置（ｘt 、ｙt ）が指定領域Ｇ内に侵入したと判断した場合（Ｓ２０５でＹＥＳ）、侵入信号を出力する（Ｓ２０６）。
【００５２】
一方、デジタイザ制御ユニット１３は、カーソル位置（ｘt 、ｙt ）が指定領域Ｇ内に侵入していないと判断した場合（Ｓ２０５でＮＯ）、ペン２１がタブレット２に接地している接地状態にあるか否かを判断する（Ｓ２０７）。その結果、デジタイザ制御ユニット１３は、ペン２１が接地状態にあると判断した場合（Ｓ２０７でＹＥＳ）、線書きのデータ入力を行い（Ｓ２０８）、ステップＳ２０２に戻って領域内判定処理を繰り返す。
【００５３】
一方、デジタイザ制御ユニット１３は、ペン２１が接地状態にないと判断した場合（Ｓ２０７でＮＯ）、時間ｔに１を加算し（Ｓ２０９）、ステップＳ２０２に戻って領域内判定処理を繰り返す。尚、実施例１では、時間ｔに加算する値は１とした。しかし、本発明は、これに限るものでなく、タイマ（図示せず）により計時した時間を加算していくようにしてもよい。
【００５４】
次にステップＳ１０４で実行される部分領域操作処理の手順について説明する。図５は実施例１に係る部分領域操作処理の手順を示すフローチャートである。デジタイザ制御ユニット１３は、ステップＳ１０３で算出したカーソル位置の差分及び時間０〜ｔに基づいて中心点から移動先までのカーソルの移動速度を算出する（Ｓ３０１）。また、デジタイザ制御ユニット１３は、ステップＳ３０１で算出したカーソル位置の差分に基づいて中心点から移動先までのカーソルの移動方向を算出する（Ｓ３０２）。
【００５５】
デジタイザ制御ユニット１３は、ステップＳ３０１で算出したカーソルの移動速度に対応する部分領域ＰＳ１の移動量を決定し（Ｓ３０３）、ステップＳ３０２で算出したカーソルの移動方向に対応する部分領域ＰＳ１の移動量を決定する（Ｓ３０４）。尚、当該決定は、カーソルの移動速度と部分領域ＰＳ１の移動量とを対応付けたテーブル（図示せず）及びカーソルの移動方向と部分領域ＰＳ１の移動方向とを対応付けたテーブル（図示せず）に基づいて行われる。当該テーブルは、補助記憶装置１６に予め記憶されており、必要に応じて読み出される。
【００５６】
実施例２．
上述した実施例１では、ペン２１をタップなどの特殊な操作をすることなくカーソルを中心点から移動先へ移動させる一例を説明した。しかし、本発明は、これに限らず、ペン２１をタブレット２の任意の位置でタップ操作することによりカーソルを中心点から移動先へ移動させるようにしてもよい。そこで、実施例２では、ペン２１をタブレット２でタップ操作する一例を説明する。尚、実施例２において、タブレット２は、ペン２１のタップを検知する圧力センサ（図示せず）を備え、情報処理装置１のデジタイザ制御ユニット１３は、圧力センサで検知したタップの回数を計数するカウンタ（図示せず）を備える。
【００５７】
まず、実施例２に係るモニタ１５１に表示された部分領域ＰＳ１の表示について説明する。図６は実施例２に係る部分領域ＰＳ１を説明するための概略図である。部分領域ＰＳ１は、入力領域Ｉと指定領域Ｇとで構成されている。
【００５８】
情報処理装置１のデジタイザ制御ユニット１３は、ペン２１がタブレット２に近接状態にあると判断したとき、カーソル位置（ｘ0 、ｙ0 ）を検出する。デジタイザ制御ユニット１３は、検出したカーソル位置（ｘ0 、ｙ0 ）を中心点とした所定の解像度を有する矩形の部分領域ＰＳ１を表示画面Ｓ内に描画する。デジタイザ制御ユニット１３は、ペン２１がタップされたときのカーソル位置（ｘt 、ｙt ）が入力領域Ｉ内であると判断したとき、カーソルを移動中として扱う。
【００５９】
また、デジタイザ制御ユニット１３は、ペン２１がタップされたときのカーソル位置（ｘt 、ｙt ）が指定領域Ｇ内にあると判断したとき、部分領域ＰＳ１を移動させるための処理を実行する。
【００６０】
また、デジタイザ制御ユニット１３は、ペン２１がタブレット２に接地しているときのカーソル位置（ｘt 、ｙt ）が入力領域Ｉ内にあると判断したとき、線書きデータの入力モードで処理を実行する。
【００６１】
次に実施例２に係る情報処理装置１が実行する手書きの入力認識処理の手順を説明する。但し、実施例２において、部分領域操作処理以外の処理の手順は、実施例１と同様であるから、その説明を省略する。従って、次にステップＳ１０４で実行される部分領域操作処理の手順について説明する。図７は実施例２に係る部分領域操作処理の手順を示すフローチャートである。
【００６２】
情報処理装置１のデジタイザ制御ユニット１３は、ステップ１０３で算出したカーソル位置の差分に基づいて中心点から移動先までのカーソルの移動方向を算出する（Ｓ４０１）。また、デジタイザ制御ユニット１３は、移動先であるカーソル位置（ｘt 、ｙt ）でのタップ回数を計数する（Ｓ４０２）。
【００６３】
デジタイザ制御ユニット１３は、ステップ４０２で計数したタップ回数に対応する部分領域ＰＳ１の移動量を決定し（Ｓ４０３）、ステップＳ４０１で算出したカーソルの移動方向に対応する部分領域ＰＳ１の移動方向を決定する（Ｓ４０４）。尚、当該決定は、タップ回数と部分領域ＰＳ１の移動量とを対応付けたテーブル（図示せず）及びカーソルの移動方向と部分領域ＰＳ１の移動方向とを対応付けたテーブル（図示せず）に基づいて実行される。また、当該テーブルは、補助記憶装置１６に予め記憶されており、必要に応じて読み出される。
【００６４】
尚、実施例２では、部分領域ＰＳ１の移動量をタップ回数に応じて決定する一例を示したが、これに限らず、カーソルの移動距離に応じて決定するか、又は、常時定量になるようにしてもよい。
【００６５】
実施例３．
上述した実施例２では、ペン２１をタブレット２でタップ操作することによりカーソルを中心点から移動先へ移動させる一例を説明した。しかし、本発明は、これに限らず、ペン２１をタブレット２１の任意の位置で接地して更に押し当てる接地圧力操作することによりカーソルを中心点から移動先へ移動させるようにしてもよい。そこで、実施例３では、ペン２１をタブレット２で接地圧力操作する一例を説明する。尚、実施例３において、タブレット２は、ペン２１の接地圧力を検出する圧力センサ（図示せず）を備え、情報処理装置１のデジタイザ制御ユニット１３は、圧力センサで検出した圧力を算出するための圧力算出部（図示せず）を備える。
【００６６】
まず、実施例３に係るモニタ１５１に表示された部分領域ＰＳ１の表示について説明する。図８は実施例３に係る部分領域を説明するための概略図である。部分領域ＰＳ１は、入力領域Ｉ及び指定領域Ｇとで構成されている。
【００６７】
情報処理装置１のデジタイザ制御ユニット１３は、ペン２１がタブレット２への近接状態にあると判断したとき、カーソル位置（ｘ0 、ｙ0 ）を検出する。デジタイザ制御ユニット１３は、検出したカーソル位置（ｘ0 、ｙ0 ）を中心点とした所定の解像度を有する矩形の部分領域ＰＳ１を表示画面Ｓ内に描画する。デジタイザ制御ユニット１３は、ペン２１がタブレット２に接地圧力をかけたときのカーソル位置（ｘt 、ｙt ）が入力領域Ｉ内であると判断したとき、カーソルを移動中として扱う。
【００６８】
また、デジタイザ制御ユニット１３は、ペン２１がタブレット２に接地圧力をかけたときのカーソル位置（ｘt 、ｙt ）が指定領域Ｇ内にあると判断したとき、部分領域ＰＳ１を移動させるための処理を実行する。
【００６９】
また、デジタイザ制御ユニット１３は、ペン２１がタブレット２に接地しているときのカーソル位置（ｘt 、ｙt ）が入力領域Ｉ内にあると判断したとき、線書きデータの入力モードで処理を実行する。尚、ここでいう接地圧力と接地との違いは、接地圧力とはペン２１をタブレット２に接地し、更に所定以上の圧力で押し当てることを指すのに対し、接地とはペン２１がタブレット２に所定以下の圧力で触れることを指す。
【００７０】
次に実施例３に係る情報処理装置１が実行する手書きの入力認識処理の手順について説明する。但し、実施例３において、部分領域操作処理以外の処理の手順は、実施例１と同様であるから、その説明を省略する。従って、次にステップＳ１０４で実行される部分領域操作処理の手順について説明する。図９は実施例３に係る部分領域操作処理の手順を示すフローチャートである。
【００７１】
情報処理装置１のデジタイザ制御ユニット１３は、ステップＳ１０３で算出したカーソル位置の差分に基づいて中心点から移動先までのカーソルの移動方向を算出する（Ｓ５０１）。また、デジタイザ制御ユニット１３は、移動先であるカーソル位置（ｘt 、ｙt ）でのペン２１の接地圧力を検知する（Ｓ５０２）。
【００７２】
デジタイザ制御ユニット１３は、ステップＳ５０２で検知したペン接地圧力に対応する部分領域ＰＳ１の移動量を決定し（Ｓ５０３）、ステップＳ５０１で算出したカーソルの移動方向に対応する部分領域ＰＳ１の移動方向を決定する（Ｓ５０４）。尚、当該決定は、接地圧力と部分領域ＰＳ１の移動量とを対応付けたテーブル（図示せず）及びカーソルの移動方向と部分領域ＰＳ１の移動方向とを対応付けたテーブル（図示せず）に基づいて実行される。また、当該テーブルは、補助記憶装置１６に予め記憶されており、必要に応じて読み出される。
【００７３】
実施例４．
上述した実施例１〜３では、ペン２１の操作により更新後の部分領域ＰＳ２が更新前の部分領域ＰＳ１と異なる位置へ移動させる一例を説明した。しかし、本発明は、これに限らず、ペン２１の操作により更新前の部分領域ＰＳ１を拡縮させるようにしてもよい。そこで、実施例４では、ペン２１の操作により更新前の部分領域ＰＳ１を拡縮させる一例を説明する。
【００７４】
まず、実施例４に係るモニタ１５１に表示された表示画面Ｓ及びその部分領域ＰＳ１の表示について説明する。図１０は実施例４に係る部分領域ＰＳ１の表示例を示す模式図である。部分領域ＰＳ１は、表示画面Ｓ内で拡大又は縮小させることができる（図１０ＰＳ３参照）。部分領域ＰＳ１は、入力領域Ｉ、指定領域Ｇの第１象限Ｇ１及び指定領域Ｇの第２象限Ｇ２で構成されている。
【００７５】
入力領域Ｉは、線書きデータを入力するための領域である。
【００７６】
第１象限Ｇ１及び第２象限Ｇ２は、矩形の指定領域Ｇを右上端と左下端とを結ぶ対角線により区切られ、対角線より左側を第１象限Ｇ１象限Ｇ１とし、対角線より右側を第２象限Ｇ２としてある。第１象限Ｇ１は、部分領域ＰＳ１の拡大を指示するための領域である。また、第２象限Ｇ２は、部分領域ＰＳ１の縮小を指示するための領域である。
【００７７】
情報処理装置１のデジタイザ制御ユニット１３は、ペン２１がタブレット２への近接状態にあると判断したとき、カーソル位置（ｘ0 、ｙ0 ）を検出する。デジタイザ制御ユニット１３は、検出したカーソル位置（ｘ0 、ｙ0 ）を中心点とした所定の解像度を有する矩形の部分領域ＰＳ１を表示画面Ｓ内に描画する。デジタイザ制御ユニット１３は、再度検出したカーソル位置（ｘt 、ｙt ）が入力領域Ｉ内に侵入し、且つ、ペン２１がタブレット２に接地していないと判断したとき、カーソルを移動中として扱う。
【００７８】
また、デジタイザ制御ユニット１３は、再度検出したカーソル位置（ｘt 、ｙt ）が第１象限Ｇ１内に侵入したと判断したとき、部分領域ＰＳ１を拡大させるための処理を実行する。その結果、デジタイザ制御ユニット１３は、部分領域ＰＳ１を拡大して部分領域ＰＳ３を再描画する。
【００７９】
また、デジタイザ制御ユニット１３は、再度検出したカーソル位置（ｘt 、ｙt ）が第２象限内に侵入したと判断したとき、部分領域ＰＳ１を縮小させるための処理を実行する。その結果、デジタイザ制御ユニット１３は、部分領域ＰＳ１を縮小して部分領域を再描画する（図示せず）。
【００８０】
また、デジタイザ制御ユニット１３は、再度検出したカーソル位置（ｘt 、ｙt ）が入力領域Ｉ内に侵入し、且つ、ペン２１がタブレット２１に接地していると判断したとき、線書きデータの入力モードの処理を実行する。
【００８１】
次に実施例４に係る情報処理装置１が実行する手書きの入力認識処理の手順を説明する。但し、実施例４において、部分領域操作処理以外の処理の手順は、実施例１と同様であるから、その説明を省略する。従って、次にステップＳ１０４で実行される部分領域操作処理の手順について説明する。図１１は実施例４に係る部分領域操作処理の手順を示すフローチャートである。
【００８２】
情報処理装置１のデジタイザ制御ユニット１３は、ステップＳ２０３で検出したカーソル位置（ｘt 、ｙt ）が第１象限Ｇ１内に侵入したか否かを判断し（Ｓ６０１）、カーソル位置（ｘt 、ｙt ）が第１象限Ｇ１内に侵入していないと判断した場合（Ｓ６０１でＮＯ）、部分領域ＰＳ１を縮小させることを決定する（Ｓ６０２）。
【００８３】
一方、デジタイザ制御ユニット１３は、カーソル位置（ｘt 、ｙt ）が第１象限Ｇ１内に侵入したと判断した場合（Ｓ６０１でＹＥＳ）、部分領域ＰＳ１を拡大させることを決定する（Ｓ６０３）。
【００８４】
尚、デジタイザ制御ユニット１３は、ステップＳ１０３で算出した差分及び時間０〜ｔに基づいて中心点から移動先までのカーソルの移動速度を算出し、算出したカーソル移動速度に対応する倍率を決定する。そして、決定した倍率で部分領域ＰＳ１を拡縮するようにしてもよい。また、カーソル位置（ｘt 、ｙt ）でのタップ回数を計数し、計数したタップ回数に対応する倍率で部分領域ＰＳ１を拡縮するようにしてもよい。更にまた、カーソル位置（ｘt 、ｙt ）でのペン２１の接地圧力を検知し、検知した接地圧力に対応する倍率で部分領域ＰＳ１を拡縮するようにしてもよい。
【００８５】
実施例５．
上述した実施例１〜３では、ペン２１の操作により部分領域ＳＰ１を移動させる一例を説明し、実施例４では、ペン２１の操作により部分領域ＳＰ１を拡縮させる一例を説明した。しかし、本発明は、これに限らず、移動及び拡縮を組み合わせるようにしてもよい。そこで、実施例５では、ペン２１の操作により部分領域ＳＰ１を移動及び拡縮させる一例を説明する。
【００８６】
実施例５に係る情報処理装置１が実行する手書きの入力認識処理の手順を説明する。但し、実施例５において、部分領域操作処理以外の処理の手順は、実施例１と同様であるから、その説明を省略する。従って、ステップＳ１０４で実行させる部分領域操作処理の手順について説明する。図１２は実施例５に係る部分領域操作処理の手順を示すフローチャートである。
【００８７】
情報処理装置１のデジタイザ制御ユニット１３は、カーソルの移動量を算出する（Ｓ７０１）。ここでカーソルの移動量とは、例えば、カーソルの移動速度又は移動距離などを指し、その算出については実施例１〜４に基づく。また、デジタイザ制御ユニット１３は、ステップＳ１０３で算出したカーソル位置の差分に基づいて中心点から移動先までのカーソルの移動方向を算出する（Ｓ７０３）。
【００８８】
また、デジタイザ制御ユニット１３は、移動先であるカーソル位置（ｘt 、ｙt ）でのタップ操作量を検出する（Ｓ７０４）。ここでタップ操作量とは、例えば、タップ回数又はペン２１の接地圧力などを指し、その算出については実施例１〜４に基づく。
【００８９】
デジタイザ制御ユニット１３は、ステップＳ７０１で算出したカーソルの移動量に対応する部分領域ＰＳ１の移動量を決定し（Ｓ７０５）、ステップ７０２で算出したカーソルの移動方向に対応する部分領域ＰＳ１の移動方向を決定する（Ｓ７０６）。
【００９０】
また、デジタイザ制御ユニット１３は、ステップＳ７０４で検出したタップ操作量に対応する部分領域ＰＳ１の拡縮を決定する（Ｓ７０７）。ここでの拡縮は、例えば、タップ回数に応じて部分領域ＰＳ１を拡大するか又は縮小するかを決定し、ペン２１の接地圧力の度合いに応じて倍率を決定するようにすればよい。
【００９１】
尚、実施例５では、カーソルの移動量と部分領域ＰＳ１の移動量とをタップ操作量と部分領域ＰＳ１の拡縮とを夫々対応付けた一例を説明したが、これに限るものでなく、カーソル移動量と部分領域ＰＳ１の拡縮とをタップ操作量と部分領域ＰＳ１の移動量とを対応付けるようにしてもよい。
【図面の簡単な説明】
【００９２】
【図１】本発明に係る情報処理装置の構成を示すブロック図である。
【図２】実施例１に係る部分領域の表示例を示す模式図である。
【図３】入力認識処理の手順を示すフローチャートである。
【図４】領域内判定処理の手順を示すフローチャートである。
【図５】実施例１に係る部分領域操作処理の手順を示すフローチャートである。
【図６】実施例２に係る部分領域を説明するための概略図である。
【図７】実施例２に係る部分領域操作処理の手順を示すフローチャートである。
【図８】実施例３に係る部分領域を説明するための概略図である。
【図９】実施例３に係る部分領域操作処理の手順を示すフローチャートである。
【図１０】実施例４に係る部分領域の表示例を示す模式図である。
【図１１】実施例４に係る部分領域操作処理の手順を示すフローチャートである。
【図１２】実施例５に係る部分領域操作処理の手順を示すフローチャートである。
【図１３】従来のペン入力を説明するための概略図である。
【図１４】従来の手書き入力を説明するための概略図である。
【符号の説明】
【００９３】
１  情報処理装置
１１  ペン入力インタフェース
１２  指入力インタフェース
１３  デジタイザ制御ユニット
１４  外部記憶装置
１５  出力インタフェース
１６  補助記憶装置
１７  ＲＡＭ
１８  ＣＰＵ
２  タブレット
２１  ペン
【図１】
0004973371.tif 000002
【図２】
0004973371.tif 000003
【図３】
0004973371.tif 000004
【図４】
0004973371.tif 000005
【図５】
0004973371.tif 000006
【図６】
0004973371.tif 000007
【図７】
0004973371.tif 000008
【図８】
0004973371.tif 000009
【図９】
0004973371.tif 000010
【図１０】
0004973371.tif 000011
【図１１】
0004973371.tif 000012
【図１２】
0004973371.tif 000013
【図１３】
0004973371.tif 000014
【図１４】
0004973371.tif 000015